(57)【要約】【課題】筐体内に配置された各機器のメンテナンスする労力を軽減できる空気除菌装置を提供すること。【解決手段】筐体１１内を支持板２１で上下に区分けし、上側の室２２に水を電気分解して電解水を生成する電解水生成ユニットと、この電解水が供給される気液接触部材とを配置し、下側の室２３に前記電解水生成ユニットから排出された水を受ける排水タンク５７と、吸込口１５を介して筐体１１内に吸い込んだ空気を気液接触部材５３に送る送風ファン３１と、この送風ファン３１と吸込口１５との間にプレフィルタ３４とを配置し、これらプレフィルタ３４及び排水タンク５７に対向する筐体１１の前面に着脱自在な下側カバー部材１９を配置した。【選択図】図６
2008109984.tif 000002
【特許請求の範囲】
【請求項１】
筐体内を支持板で上下に区分けし、上側の室に水を電気分解して電解水を生成する電解水生成ユニットと、この電解水が供給される気液接触部材とを配置し、下側の室に前記電解水生成ユニットから排出された水を受ける排水タンクと、吸込口を介して前記筐体内に吸い込んだ空気を前記気液接触部材に送る送風ファンと、この送風ファンと前記吸込口との間にプレフィルタとを配置し、これらプレフィルタ及び排水タンクに対向する前記筐体の一側面に着脱自在なカバー部材を配置したことを特徴とする空気除菌装置。
【請求項２】
前記排水タンクは前記筐体の一側面側に引き出し可能に配置されるとともに、前記プレフィルタは当該一側面側から着脱自在に配置されていることを特徴とする請求項１に記載の空気除菌装置。
【請求項３】
前記カバー部材は、前記上側の室及び前記下側の室をそれぞれ別個に開閉可能とする上側カバー部材及び下側カバー部材とを備えることを特徴とする請求項１または２に記載の空気除菌装置。
【請求項４】
前記下側カバー部材は、この下側カバー部材の下部に形成された下フックと上部に形成された上フックとを備え、前記筐体は、前記下フックを引掛ける引掛け溝部と、前記上フックを係止するラッチ部とを備え、前記下フックを前記引掛け溝部に引掛けた状態で、前記上フックを前記ラッチ部に係止させることにより、当該下側カバー部材を前記筐体に取り付けることを特徴とする請求項３に記載の空気除菌装置。
【請求項５】
前記下側カバー部材の下端部には、前記吸込口が形成されていることを特徴とする請求項３または４に記載の空気除菌装置。
【発明の詳細な説明】
【技術分野】
【０００１】
本発明は、細菌、ウィルス、真菌等の空中浮遊微生物（以下、単に「ウィルス等」という）の除去が可能な空気除菌装置に関する。
【背景技術】
【０００２】
従来、電極に電圧を印加することにより水を電気分解して電解水を生成し、この電解水を用いて空気中に浮遊するウィルス等の除去を図った除菌装置が提案されている（例えば、特許文献１参照）。この除菌装置は、不織布等からなる加湿エレメントに電解水を供給して、加湿エレメント上で空気中のウィルス等を電解水に接触させることにより、ウィルス等を不活化することにより、空気を除菌しようとするものである。
【特許文献１】特開２００２−１８１３５８号公報
【発明の開示】
【発明が解決しようとする課題】
【０００３】
ところで、この種の除菌装置では、筐体内部に、加湿エレメント（気液接触部材）や電解水を生成する電解水生成ユニットのようにメンテナンス頻度が低く、主としてサービスマンがメンテナンスを行う機器と、吸い込み空気中の塵埃等を除去するプレフィルタや上記電解水生成ユニットから排出された水が溜まる排水タンクのように、メンテナンス頻度が高く、主としてユーザがメンテナンスを行う機器とが混在して配置されている。
このため、従来の構成では、例えば、ユーザがメンテナンスを行う場合、メンテナンス対象（例えば、プレフィルタ及び排水タンク）の機器が筐体内に点在して配置されていることにより、メンテナンスの労力が大きくなるといった問題がある。
そこで、本発明の目的は、筐体内に配置された各機器のメンテナンスする労力を軽減できる空気除菌装置を提供することにある。
【課題を解決するための手段】
【０００４】
上記課題を解決するため、本発明は、筐体内を支持板で上下に区分けし、上側の室に水を電気分解して電解水を生成する電解水生成ユニットと、この電解水が供給される気液接触部材とを配置し、下側の室に前記電解水生成ユニットから排出された水を受ける排水タンクと、吸込口を介して前記筐体内に吸い込んだ空気を前記気液接触部材に送る送風ファンと、この送風ファンと前記吸込口との間にプレフィルタとを配置し、これらプレフィルタ及び排水タンクに対向する前記筐体の一側面に着脱自在なカバー部材を配置したことを特徴とする。
この構成によれば、カバー部材を取り外すと、プレフィルタ及び排水タンクが露出するため、これらプレフィルタ及び排水タンクに簡単にアクセスすることができ、プレフィルタの掃除や排水タンク内に溜まった水の除去といったメンテナンスを容易に行うことができる。
【０００５】
この場合において、前記排水タンクは前記筐体の一側面側に引き出し可能に配置されるとともに、前記プレフィルタは当該一側面側から着脱自在に配置されている構成としても良い。また、前記カバー部材は、前記上側の室及び前記下側の室をそれぞれ別個に開閉可能とする上側カバー部材及び下側カバー部材とを備える構成としても良い。
【０００６】
また、前記下側カバー部材は、この下側カバー部材の下部に形成された下フックと上部に形成された上フックとを備え、前記筐体は、前記下フックを引掛ける引掛け溝部と、前記上フックを係止するラッチ部とを備え、前記下フックを前記引掛け溝部に引掛けた状態で、前記上フックを前記ラッチ部に係止させることにより、当該下側カバー部材を前記筐体に取り付ける構成としても良い。また、前記下側カバー部材の下端部には、前記吸込口が形成されている構成としても良い。
【発明の効果】
【０００７】
本発明によれば、筐体内を支持板で上下に区分けし、上側の室に水を電気分解して電解水を生成する電解水生成ユニットと、この電解水が供給される気液接触部材とを配置し、下側の室に前記電解水生成ユニットから排出された水を受ける排水タンクと、吸込口を介して前記筐体内に吸い込んだ空気を前記気液接触部材に送る送風ファンと、この送風ファンと前記吸込口との間にプレフィルタとを配置し、これらプレフィルタ及び排水タンクに対向する前記筐体の一側面に着脱自在なカバー部材を配置したため、カバー部材を取り外すと、プレフィルタ及び排水タンクが外部に露出することにより、これらプレフィルタ及び排水タンクに簡単にアクセスすることができ、プレフィルタの掃除や排水タンク内に溜まった水の除去といったメンテナンスを容易に行うことができる。
【発明を実施するための最良の形態】
【０００８】
以下、図面を参照して本発明の実施の形態について説明する。
図１は、本発明を適用した実施の形態に係る空気除菌装置１の外観斜視図である。
図１に示すように、空気除菌装置１は縦長に形成された箱形の筐体１１を有し、例えば床置き設置される。筐体１１には、この筐体１１の両側面の下部に吸込グリル１２が形成されるとともに、この筐体１１の前面の下端部に吸込口１５が形成されている。
また、筐体１１の上面には吹出口１３が形成され、この吹出口１３には空気を吹き出す方向を変化させるためのルーバー２０が設けられている。このルーバー２０は、運転停止時には上記吹出口１３を閉塞するように構成されている。
空気除菌装置１は、吸込グリル１２及び吸込口１５を介して設置室内の空気を吸い込んで除菌し、この除菌された空気を吹出口１３から排出することで、室内空気を清浄化させる装置である。
【０００９】
筐体１１の上面には、吹出口１３の前面側に配置された操作蓋１６Ａと、この操作蓋１６Ａに横並びに配置されたタンク用開閉蓋１４Ａとが形成されている。操作蓋１６Ａを開くと、空気除菌装置１の各種操作を行う操作パネル１６（図２）が露出し、タンク用開閉蓋１４Ａを開くと、タンク取出口１４を介して後述する給水タンク４１（図２）を出し入れ可能となっている。
また、筐体１１の両側面の上部にはそれぞれ把持部１７が形成されている。これら把持部１７は筐体１１を手持ちする際に手を掛けるための凹部であり、運搬時に空気除菌装置１を一人で持ち上げて移動できるようになっている。
また、筐体１１の前面（一側面）には、上下方向に並べられた上側カバー部材１８及び下側カバー部材１９がそれぞれ着脱自在に配置されており、これら上側カバー部材１８及び下側カバー部材１９を取り外すと筐体１１の内部構成が露出するようになっている。また、下側カバー部材１９は、この下側カバー部材１９の下端部に、筐体１１の背面側に向けて湾曲した円弧部１９Ａを備え、この円弧部１９Ａに上記吸込口１５が形成されている。
【００１０】
次に、空気除菌装置１の内部構成を説明する。
筐体１１には、図２に示すように、この筐体１１の内部を上下に仕切る支持板２１が設けられ、上側の室２２と下側の室２３とに区分けされている。この下側の室２３には、送風ファン３１及びファンモータ３２が配置されるとともに、仕切板２４を介して、把手部５７Ａを有する排水タンク５７が筐体１１の前面側に引き出し可能に収容されている。これら送風ファン３１及びファンモータ３２と排水タンク５７とは横並びに配置されている。
また、送風ファン３１と吸込口１５との間、すなわち、下側の室２３における下側カバー部材１９（図１）との対向する位置にプレフィルタ３４が着脱自在に配置されている。このプレフィルタ３４は、吸込グリル１２及び吸込口１５を通じて吸い込まれた空気中の塵埃など粒径の大きなものを捕集する第１フィルタ２５と、この第１フィルタ２５を通過する、例えば粒径１０（μｍ）以上の物を捕集する第２フィルタ２６とを備えて構成される。このプレフィルタ３４によって空気中に浮遊する花粉や塵埃等が除去され、この除去された空気が送風ファン３１を介して上側の室２２に供給される。
【００１１】
一方、上側の室２２には、送風ファン３１及びファンモータ３２の上方に電装ボックス３９が配置され、この電装ボックス３９の上方に気液接触部材５３が配置されている。この気液接触部材５３と電装ボックス３９との間には、気液接触部材５３から滴下した水を受ける水受皿４２が配置されている。この水受皿４２は、深底に形成された貯留部４２Ａを備え、この貯留部４２Ａは上記排水タンク５７の上方に延在している。電装ボックス３９には、空気除菌装置１を制御する制御部（図示略）を構成する各種デバイスが実装された制御基板や、ファンモータ３２に電源電圧を供給する電源回路等の各種電装部品が収容されている。
【００１２】
貯留部４２Ａの上には給水タンク４１が配設され、給水タンク４１から貯留部４２Ａに水を供給可能な構成となっている。詳細には、給水タンク４１の下端に形成された給水口にはフロートバルブが設けられ、貯留部４２Ａの水面が給水口よりも下になると、このフロートバルブが開放されることにより、給水タンク４１から必要量の水が供給され、貯留部４２Ａの水位が一定に保たれる仕組みとなっている。
また、貯留部４２Ａの上には、図３に示すように、気液接触部材５３に供給する電解水を生成する電解水生成ユニット４５が配置されている。この電解水生成ユニット４５は、循環ポンプ４４と電解槽４６とを備えて構成され、循環ポンプ４４は、制御部の制御に従って回転数を変更することにより、循環量を変更可能に動作する。循環ポンプ４４の吐出口には、貯留部４２Ａに貯留された水を汲み上げて気液接触部材５３に供給する供給管７１が接続され、この供給管７１には循環ポンプ４４と気液接触部材５３との間で分岐する分岐管７２を介して電解槽４６が接続されている。この電解槽４６は、後述するように複数の電極を内蔵し、これら電極間に、制御部から供給される電圧を印加することにより、水を電解して電解水を生成する。電解槽４６の上面には、この電解槽４６で生成した電解水を排出する排出口４６Ａが形成され、この排出口４６Ａには電解水を貯留部４２Ａに返送する返送管７３が接続されている。
【００１３】
また、貯留部４２Ａの上には、この貯留部４２Ａの入口部分に当該貯留部４２Ａに流れ込む水に混入する固形物を捕集するフィルタ部材７４が配置されている。本構成では、返送管７３の出口は、このフィルタ部材７４の上方に配置され、水とともに電解槽４６から排出された固形物（例えば、電極表面に形成されたスケール成分）をも捕集可能となっている。このフィルタ部材７４によって、水受皿４２を介して気液接触部材５３と電解水生成ユニット４５とを循環される水に含まれる固形物が捕集されるため、この固形物が気液接触部材５３に流入し、この気液接触部材５３の目詰まりの発生が防止される。
また、フィルタ部材７４は、上部が開放した状態で水受皿４２の貯留部４２Ａに形成されているため、フィルタ部材７４の交換時期を目視で簡単に判断することができる。さらに、このフィルタ部材７４を交換する場合、貯留部４２Ａの入口部分に配置されたフィルタ部材７４を手指で取り外して交換すればよいため、工具等を使用することなく、メンテナンスを簡単に行うことができる。
【００１４】
また、本実施形態では水受皿４２に貯留された水を適宜排出可能に構成されている。具体的には、貯留部４２Ａの下部には排水管５５（図５Ａ）が連結されるとともに、この排水管５５を開閉させる排水バルブ５６（図５Ａ）が設けられている。そして、排水管５５の先端は、上記排水タンク５７の上方に延びており、排水バルブ５６を開放することにより、水受皿４２上の水が排水タンク５７に排出される。
【００１５】
気液接触部材５３の上部には、この気液接触部材５３上に均一に電解水を分散させるための散水ボックス５１が組み付けられている。この散水ボックス５１は、電解水を一時的に貯留するトレー部材を備え、このトレー部材の側面に複数の散水孔（図示略）が開口し、この散水孔から気液接触部材５３に対して電解水を滴下するようになっている。
また、気液接触部材５３は、ハニカム構造を持ったフィルタ部材である。詳細には、気液接触部材５３は、気体に接触するエレメント部をフレームにより支持する構造を有する。エレメント部は、波板状の波板部材と平板状の平板部材とが積層されて構成され、これら波板部材と平板部材との間に略三角状の多数の開口が形成されている。従って、エレメント部に空気を通過させる際の気体接触面積が広く確保され、電解水滴下が可能で、目詰まりしにくい構造になっている。
【００１６】
また、気液接触部材５３の上面には、散水ボックス５１から滴下される電解水をエレメント部に効率よく分散させるため、分流シート（図示略）が配設されている。この分流シートは、液体の浸透性を有する繊維材料からなるシート（織物、不織布等）であり、気液接触部材５３の厚み方向断面に沿って一または複数設けられる。
ここで、気液接触部材５３の各部（フレーム、エレメント部、及び分流シートを含む）には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂を用いるものとする。
また、気液接触部材５３の各部には親水性処理が施され、電解水に対する親和性が高められており、これによって、気液接触部材５３の電解水の保水性（湿潤性）が保たれ、後述する活性酸素種（活性酸素物質）と室内空気との接触が長時間持続される。さらに、気液接触部材５３には防かび作用を持つ電解水が滴下されるため、気液接触部材５３に防かび対策（防かび剤の塗布等）を施さなくても、かびの繁殖等を避けることができる。
【００１７】
次に、空気除菌装置１における空気の流れを説明する。
上述のように、筐体１１の下側の室２３には送風ファン３１が設けられている。この送風ファンの送風口３１Ａは、図４に示すように、筐体１１の背面側部分において上向きに設けられ、支持板２１には、送風口３１Ａに重なる位置において開口が設けられている。この支持板２１の開口は、上側の室２２の背面側において上下に延びる空間１Ａに連通する。このため、送風ファン３１の送風口３１Ａから吹き出された空気は、図４中に矢印で示すように空間１Ａを通り、気液接触部材５３の背面に吹き付けられる。
本構成では、この空間１Ａには、筐体１１の背面側に配置される第１導風部材８１を備える。この第１導風部材８１の上部には、分流板８２が配置されており、空間１Ａを流れる空気を均一に気液接触部材５３の背面に吹き付け可能となっている。
また、気液接触部材５３を介して、筐体１１の前面側の空間１Ｂには、この気液接触部材５３を通過した空気を吹出口１３に導く第２導風部材８３が配置されている。この第２導風部材８３は、空間１Ｂ内の空気を吹出口１３に導く機能と、気液接触部材５３から空気とともにこの空間１Ｂに吹き出された水（いわゆる飛び水）を受ける機能とを有する。具体的には、第２導風部材８３は、この第２導風部材８３の内側の底面８３Ａが気液接触部材５３に向けて下り勾配に形成されており、この底面８３Ａの先端部が水受皿４２の上方に延在する。このため、空間１Ｂに吹き出された水は、第２導風部材８３の内側の底面８３Ａを通じて水受皿４２に戻される。
気液接触部材５３を通過した空気は、上記第２導風部材８３に導かれて吹出口１３の下方に配設された吹出口フィルタ３６を通って排気される。この吹出口フィルタ３６は、吹出口１３から筐体１１内部への異物の進入を防止するためのフィルタである。吹出口フィルタ３６は、網や織物または不織布等（図示略）を備えており、これらの材料としては、合成樹脂、好ましくは気液接触部材５３を構成する材料が好ましい。また、吹出口フィルタ３６は、気液接触部材５３を通過した空気の通風抵抗を著しく増加させないよう、適度に目の粗いものであることが好ましい。
【００１８】
図５は、電解水の供給の様子を説明する図であり、図５（Ａ）は、空気除菌機構の構成を示す模式図であり、図５（Ｂ）は電解槽４６の構成を詳細に示す図である。
この図５を参照して、気液接触部材５３に対する電解水の供給について説明する。なお、本実施の形態では、給水タンク４１に水道水を入れて空気除菌装置１を動作させる場合について説明する。
【００１９】
水道水を入れた給水タンク４１が空気除菌装置１にセットされると、上述のように、給水タンク４１から水受皿４２に水道水が供給され、水受皿４２の水位が所定のレベルに達する。水受皿４２内の水は循環ポンプ４４によって汲み上げられて、その一部が電解槽４６に供給される。この電解槽４６には、図５Ｂに示すように、一方が正、他方が負となる対の電極４７、４８を備え、これら電極４７、４８間に電圧を印加することにより、電解槽４６に流入した水道水が電気分解されて活性酸素種を含む電解水が生成される。ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００２０】
電極４７、４８は、例えばベースがチタン（Ｔｉ）で皮膜層がイリジウム（Ｉｒ）、白金（Ｐｔ）から構成された電極板であり、この電極４７、４８に流れる電流値は、電流密度で数ｍＡ（ミリアンペア）／ｃｍ2（平方センチメートル）〜数十ｍＡ／ｃｍ2になるように設定され、所定の遊離残留塩素濃度（例えば１ｍｇ（ミリグラム）／ｌ（リットル））を発生させる。
【００２１】
詳述すると、上記電極４７、４８により水道水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩化物イオン（Ｃｌ-：水道水に予め添加されているもの）が、
２Ｃｌ-→Ｃｌ2＋２ｅ-
のように反応し、塩素（Ｃｌ2）が発生する。さらにこの塩素は水と反応し、
Ｃｌ2＋Ｈ2Ｏ→ＨＣｌＯ＋ＨＣｌ
次亜塩素酸（ＨＣｌＯ）と塩化水素（ＨＣｌ）が発生する。
【００２２】
アノード電極で発生した次亜塩素酸は広義の活性酸素種に含まれるもので、強力な酸化作用や漂白作用を有する。次亜塩素酸が溶解した水溶液、すなわち空気除菌装置１により生成される電解水は、ウィルス等の不活化、殺菌、有機化合物の分解等、種々の空気清浄効果を発揮する。このように、次亜塩素酸を含む電解水が散水ボックス５１から気液接触部材５３に滴下されると、送風ファン３１により吹き出された空気が気液接触部材５３において次亜塩素酸と接触する。これにより、空気中に浮遊するウィルス等が不活化されるとともに、当該空気に含まれる臭気物質が次亜塩素酸と反応して分解され、或いはイオン化して溶解する。従って、空気の除菌及び脱臭がなされ、清浄化された空気が気液接触部材５３から排出される。
【００２３】
活性酸素種によるウィルス等の不活化の作用機序として、インフルエンザウィルスの例を挙げる。上述した活性酸素種は、インフルエンザの感染に必須とされるインフルエンザウィルスの表面蛋白（スパイク）を破壊、消失（除去）する作用を有する。この表面蛋白が破壊された場合、インフルエンザウィルスと、インフルエンザウィルスが感染するのに必要な受容体（レセプタ）とが結合しなくなり、感染が阻止される。このため、空気中に浮遊するインフルエンザウィルスは、気液接触部材５３において活性酸素種を含む電解水に接触することにより、いわば感染力を失うこととなり、感染が阻止される。
【００２４】
従って、この空気除菌装置１が、例えば幼稚園や小・中・高等学校、介護保険施設、病院等のいわゆる大空間に設置された場合であっても、電解水により清浄化（除菌、脱臭等）された空気を大空間内で広く行き渡らせることが可能になり、大空間での空気除菌及び脱臭を効率よく行うことができる。
【００２５】
また、散水ボックス５１から気液接触部材５３に滴下された電解水は気液接触部材５３を伝って下方に移動し、水受皿４２に落ちる。水受皿４２に落ちた電解水は再び循環ポンプ４４によって汲み上げられ、電解槽４６を経て気液接触部材５３に供給される。このように、本実施形態における構成では水が循環式となっており、少量の水を有効に利用することで、長時間にわたって効率よく空気の除菌を行える。また、蒸発等により電解水循環部２を循環する水量が減った場合には、給水タンク４１内の水が水受皿４２に適量供給される。
【００２６】
ところで、本実施形態にかかる空気除菌装置１では、上述したように、筐体１１の前面には、上側カバー部材１８及び下側カバー部材１９がそれぞれ着脱自在に配置されている。下側カバー部材１９は、図６に示すように、この下側カバー部材１９の下端部（円弧部１９Ａ）に形成された下フック８４と、上端部に形成された上フック８５とを備える。下フック８４は、下側カバー部材１９のパネル面１９Ｂに略平行な方向に延出した爪部材であり、筐体１１の両側板９１の前面側下部に形成された引掛け溝部９２（図７）に引掛けて係合させるものである。
また、上フック８５は、下側カバー部材１９のパネル面１９Ｂの略垂直な方向に延出する突起であり、先端部８５Ａが基部８５Ｂよりも拡径されて形成されている。下側カバー部材１９を筐体１１に取り付けた場合、筐体１１の両側板９１の前面側には、上フック８５に対応する位置にこの上フック８５が係止されるラッチ部９３が形成されている。
このラッチ部９３は、筐体１１の奥行き方向に移動する基部９３Ａと、この基部９３Ａの上下にヒンジ連結された爪部９３Ｂとを備える。これら爪部９３Ｂは、基部９３Ａに位置に応じて開閉する。上フック８５の先端部８５Ａが基部９３Ａの表面に当接して、この基部９３Ａを筐体１１の奥行き方向に押し込むと、この基部９３Ａの移動に伴って爪部９３Ｂが閉じる。基部９３Ａは一度奥行き方向に押されると、押し込まれた位置（不図示）で保持されるため、爪部９３Ｂに先端部８５Ａが狭持されることにより、下側カバー部材１９を簡単に閉じることができる。
一方、上フック８５を介して、ラッチ部９３の基部９３Ａを再度押し込むと、この基部９３Ａの保持が解除されて、当該基部９３Ａは初期位置（図６）に復帰する。これに伴い、爪部９３Ｂが開くことにより、上フック８５の先端部８５Ａが爪部９３Ｂから離脱することにより、下側カバー部材１９を簡単に開くことができる。このように、下側カバー部材１９は、工具などを使用することなく、簡単に筐体１１に着脱することができる。
また、上側カバー部材１８についても、上記した下側カバー部材１９と同様の構成を備えるため、説明を省略する。
【００２７】
図７は、下側カバー部材１９を開いた（外した）状態を示す斜視図であり、図８は、上側カバー部材１８を開いた（外した）状態を示す斜視図である。
本実施形態では、上述したように、筐体１１の下側の室２３にメンテナンス対象としてのプレフィルタ３４及び排水タンク５７を配置するとともに、これらプレフィルタ３４及び排水タンク５７に対向する位置に下側カバー部材１９を配置している。この構成によれば、下側カバー部材１９を取り外すことにより、プレフィルタ３４及び排水タンク５７が露出する。ここで、排水タンク５７は、前面側に引き出し可能に収容されているため、この排水タンク５７の把手部５７Ａを持って簡単に筐体１１の前面側に引き出すことができ、この排水タンク５７内に溜まった水を捨てることができる。
また、プレフィルタ３４は、図７に示すように、仕切板２４及び支持板２１等によって形成された枠部９４にはめ込まれて配置されており、この枠部９４に形成された留め付け部材９５によって、当該枠部９４に固定されている。この留め付け部材９５を回転させると、プレフィルタ３４は枠部９４から離脱するため、このプレフィルタ３４を簡単に筐体１１の前面側に取り外すことができ、このプレフィルタ３４に付着した塵埃を掃除して除去することができる。
また、上側カバー部材１８を開いた状態では、図８に示すように、気液接触部材５３は、上記第２導風部材８２によって覆われており外部に露出していない。このため、ユーザが誤って上側カバー部材１８を外した場合であっても、ユーザが気液接触部材５３に触れるといったことは防止される。
【００２８】
本実施形態によれば、筐体１１内を支持板２１で上下に区分けし、上側の室２２に水を電気分解して電解水を生成する電解水生成ユニット４５と、この電解水が供給される気液接触部材５３とを配置し、下側の室２３に前記電解水生成ユニット４５から排出された水を受ける排水タンク５７と、吸込口１５を介して筐体１１内に吸い込んだ空気を気液接触部材５３に送る送風ファン３１と、この送風ファン３１と吸込口１５との間にプレフィルタ３４とを配置し、これらプレフィルタ３４及び排水タンク５７に対向する筐体１１の前面に着脱自在な下側カバー部材１９を配置したため、この下側カバー部材１９を取り外すと、プレフィルタ３４及び排水タンク５７が露出するため、これらプレフィルタ３４及び排水タンク５７に簡単にアクセスすることができる。従って、プレフィルタ３４の掃除や排水タンク５７内に溜まった水の除去といったメンテナンスを容易に行うことができる。
【００２９】
また、本実施形態によれば、排水タンク５７は筐体１１の前面側に引き出し可能に配置されるとともに、プレフィルタ３４は筐体１１の前面側から着脱自在に配置されているため、下側カバー部材１９を外した状態で、筐体１１の前面側からプレフィルタ３４及び排水タンク５７のメンテナンスを容易に行うことができる。
また、本実施形態によれば、筐体１１の前面には、上下に並べられた上側カバー部材１８及び下側カバー部材１９が配置され、これら上側カバー部材１８及び下側カバー部材１９は、筐体１１の内部に形成された上側の室２２及び下側の室２３をそれぞれ別個に開閉可能となっているため、上側の室２２に配置されている機器（例えば気液接触部材５３）をメンテナンスする場合には、上側カバー部材１８のみを開き、下側の室２３に配置されている機器（例えばプレフィルタ３４または排水タンク５７）をメンテナンスする場合には、下側カバー部材１９のみを開けば良い。従って、筐体の前面に１枚のカバー部材を配置する場合に比べて、取り外すカバー部材の面積が小さいため、当該カバー部材を載置するスペースも小さくなり、メンテナンススペースを有効に使用することができる。
【００３０】
また、本実施形態によれば、下側カバー部材１９は、この下側カバー部材１９の下部に形成された下フック８４と上部に形成された上フック８５とを備え、筐体１１は、この筐体１１の側板９１の前面側に下フック８４を引掛ける引掛け溝部９２と、上フック８５を係止するラッチ部９３とを備え、下フック８４を引掛け溝部９２に引掛けた状態で、上フック８５をラッチ部９３に係止させることにより、当該下側カバー部材１９を筐体１１に取り付ける構成を有するため、工具などを使用することなく、下側カバー部材１９を筐体１１に簡単に着脱することができる。
【００３１】
また、本実施形態によれば、下側カバー部材１９の下端部は筐体１１の背面側に向けて湾曲した円弧部１９Ａを備え、この円弧部１９Ａに吸込口１５が形成されているため、この吸込口１５が正面から視認されないことにより、空気除菌装置１の美観の向上を図るとともに、この吸込口１５は十分な開口面積を確保することができる。
【００３２】
本実施の形態に係る空気除菌装置１は、本発明の一態様であり、本発明の趣旨を逸脱しない範囲において適宜変更可能なのは勿論である。
例えば、活性酸素種としてオゾン（Ｏ3）や過酸化水素（Ｈ2Ｏ2）を発生させる構成としても良い。この場合、電極として白金タンタル電極を用いると、イオン種が希薄な水であても、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応により生成したＯ2-と溶液中のＨ+とが結合して、過酸化水素（Ｈ2Ｏ2）が生成される。
【００３３】
また、本実施形態では、給水タンク４１により水道水を供給する例について説明している。水道水には殺菌を目的として塩素化合物が添加されているため、塩化物イオンが含まれており、この塩化物イオンが反応して次亜塩素酸及び塩酸が生成される。これは水道水を用いた場合に限定されるものではなく、電解槽４６に供給された水が、ハロゲン化合物の添加または混入によりハロゲン化物イオンを含む水となっていれば、同様の反応によりハロゲンを含む活性酸素種が生成される。
また、空気除菌装置１において、イオン種が希薄な水（純水、精製水、井戸水、一部の水道水等を含む）を用いた場合も同様の反応を起こさせることが可能である。すなわち、イオン種が希薄な水にハロゲン化合物（食塩等）を添加すれば、同様の反応が起こり、活性酸素種を得ることができる。また、本実施形態では、出し入れ自在な給水タンク４１による給水方式としたが、この給水タンク４１の代わりに、例えば水道管を接続して、市水を直接導く水配管給水方式としてもよいことは云うまでもない。
【図面の簡単な説明】
【００３４】
【図１】本実施の形態に係る空気除菌装置の外観を示す斜視図である。
【図２】空気除菌装置の内部構成を示す斜視図である。
【図３】気液接触部材と電解水生成ユニットとを示す斜視図である。
【図４】空気除菌装置の内部構成を示す右側断面視図である。
【図５】電解水の供給の様子を説明する図であり、（Ａ）は空気除菌機構の構成を示す模式図であり、（Ｂ）は電解槽の構成を詳細に示す図である。
【図６】上側カバー部材及び下側カバー部材を着脱する機構を説明するための図である。
【図７】下側カバー部材を取り外した状態を示す斜視図である。
【図８】上側カバー部材を取り外した状態を示す斜視図である。
【符号の説明】
【００３５】
１      空気除菌装置
１１    筐体
１５    吸込口
１８    上側カバー部材（カバー部材）
１９    下側カバー部材（カバー部材）
２１    支持板
２２    上側の室
２３    下側の室
３１    送風ファン
３４    プレフィルタ
４２    水受皿
４２Ａ  貯留部
４４    循環ポンプ
４５    電解水生成ユニット
４６    電解槽
５３    気液接触部材
５７    排水タンク
８４    下フック
８５    上フック
９２    引掛け溝部
９３    ラッチ部
【図１】
2008109984.tif 000003
【図２】
2008109984.tif 000004
【図３】
2008109984.tif 000005
【図４】
2008109984.tif 000006
【図５】
2008109984.tif 000007
【図６】
2008109984.tif 000008
【図７】
2008109984.tif 000009
【図８】
2008109984.tif 000010